(57)【要約】      （修正有）【課題】冷暖房効率を高めることを目的として、室内のデッドスペースを充填するために好適な室内空間充填部材を提供する。【解決手段】密閉された風船体を構成する気密性シートからなる気密層と、気密性シート全面に積層される断熱材からなる断熱層とからなる積層構造を有する。風船体の内部と外気とを連通する弁体を設け、弁体を通じて空気の出し入れをする。【選択図】図１
0003169322.tif 000002
【実用新案登録請求の範囲】
【請求項１】
密閉された風船体を構成する気密性シートからなる気密層と、
前記気密性シート全面に積層される断熱材からなる断熱層と
からなる積層構造を有し、
前記気風船体内部と外気とを連通する弁体を有する
室内空間充填部材。
【請求項２】
略直方体形状を有するものである請求項１に記載の室内空間充填部材。
【請求項３】
少なくとも１面の最外面全面に、耐熱材からなる耐熱層が設けられる請求項２に記載の室内空間充填部材。
【考案の詳細な説明】
【技術分野】
【０００１】
本考案は冷暖房効率を高めるために、室内のデッドスペースを充填する中空の部材に関する。
【背景技術】
【０００２】
住居やオフィスにおいて、開放感を出すために広い空間の部屋を設けることが好まれる傾向にある。一方、このような広い空間の温度を冷房設備や暖房設備によってコントロールする場合、容積が大きいためにエネルギー消費も大きくならざるを得ない。
このような問題に対応するためには、夏や冬においては、冷暖房を行う室内の容積を小さくすることが有効であると考えられる。冷暖房を行う室内の容積を小さくする方法として、天井から床に達する移動式の間仕切りを設けておき、夏や冬のみ室内を間仕切りで仕切ることで部屋の容積を小さくすることが行われている。
【考案の概要】
【考案が解決しようとする課題】
【０００３】
しかし、移動式の間仕切りは、横方向に関してのみ空間を仕切るものであるために、縦方向の容積を小さくすることには使用できず、また、床や天井にレールを設ける必要があり、特に床のレールは不使用時には邪魔になるという問題がある。
これに対する解決方法として、中空の断熱材で囲まれた中空材を室内のデッドスペースに配置することが考えられる。このような方法によれば、空間の横方向のみならず縦方向に関しても柔軟に空間の容積を減少させることができ、レールなどを設置しておく必要もない。
本考案は、このような考えに基づき、室内のデッドスペースを充填するために好適な中空部材を提供することを課題とする。
【課題を解決するための手段】
【０００４】
上記課題を解決するために、本考案は次のような構成を有する。
請求項１に記載の考案は、密閉された風船体を構成する気密性シートからなる気密層と、  前記気密性シート全面に積層される断熱材からなる断熱層とからなる積層構造を有し、  前記気風船体内部と外気とを連通する弁体を有する室内空間充填部材である。
請求項２に記載の考案は、前記室内空間充填部材の形状を略直方体形状としたものである。
請求項３に記載の考案は、請求項２に記載の室内空間充填部材において、少なくとも１面の最外面全面に、耐熱材からなる耐熱層が設けられるものである。
【考案の効果】
【０００５】
請求項１に記載の考案は、弁体を通じて空気の出し入れをすることで大きさを変えることができるので、夏や冬に冷暖房を使用する際には風船体を膨らませて室内に設置し、春や秋に冷暖房を使用しないときには風船体を萎ませて折りたたんで収納しておくことが可能である。
請求項２に記載の考案は、直方体形状とすることで、直方体の室内における壁、床、天井に接触させて配置する際に、空間の無駄を生じ難くすることができる。
請求項３に記載の考案は、直方体形状の少なくとも１面に耐火層を設けることで、当該耐火層を室内の空間側に向けておけば、室内側で火事が生じたときに、断熱層や気密層が燃えて延焼することを抑制することができる。
【図面の簡単な説明】
【０００６】
【図１】実施形態に係る室内空間充填部材の斜視図である。
【図２】実施形態に係る室内空間充填部材を構成する外殻の断面図である。
【図３】実施形態に係る室内空間充填部材の使用状態を示す模式図である。
【図４】室内空間充填部材の変形例を示す斜視図である。
【考案を実施するための形態】
【０００７】
以下、本考案の実施の形態について、図面を参照しながら説明する。
図１に本実施形態に係る室内空間充填部材Xの斜視図を示す。室内空間充填部材Ｘは略直方体状の風船体であり、側面に外部からの気体の流入を許容し、内部からの気体の流出を遮蔽する逆止弁３０が設けられる。図２に風船体である室内空間充填部材Xの外形を構成する外殻部の断面図を示す。図に示すように室内空間充填部材Ｘはポリビニルアルコールなどのガスバリア性の高い気密性シート１０からなる気密層と、気密層の全面に積層される発泡ポリエチレンなどの柔軟性のある断熱材２０からなる断熱層２０とから構成される。なお、気密性シート及び断熱材を構成する材料には予め難燃剤が添加されている。室内空間充填部材Xは、数枚の気密性シート１０を貼り合わせて直方体状の風船体とし、外表面全体に断熱材２０を貼り付け、側面の一部に孔を設けて逆止弁３０を取り付けることで製造される。
【０００８】
次に、以上のような構成からなる室内空間充填部材Ｘの使用方法について説明する。まず、春や秋など空調が不要な時期には、空気を抜いて折りたたんで収納しておく。そして、冬や夏など冷暖房を行なう時期になったときには、逆止弁３０から空気を入れて膨らませて使用する。図３に室内空間充填部材Ｘの使用状態の一例を模式的に表した図を示す。図に示すように、例えば、空気を入れて膨らませた室内空気充填部材Ｘを複数配列させた状態で、天井に張ったネットＮなどによりの下方を支えることで、室内空気充填部材Ｘを天井側に設置することができる。また、図に示すように床に複数の室内空気充填部材Ｘを積み上げて置くことで、室内空気充填部材Ｘを床に配置することができる。
室内空気充填部材Ｘは断熱材により覆われており、内部にまで熱が伝わり難いので、このように室内空気充填部材Ｘを複数室内に設置すると、冷暖房を行なう室内の容積が小さくなり、冷暖房に要するエネルギーの無駄を削減することができる。
【０００９】
なお、上記実施形態では、室内空気充填部材Ｘの形状を直方体状としたが、室内に設置して容積を調整できればよいので、円筒形など他の形状を採用することもできる。また、火災に際して延焼を防ぐために、室内空間充填部材Ｘの最外面に耐熱材・耐火材を貼りつけてもよい。この際、耐熱・耐火効果の高い、硬質の耐熱材・耐火材を設ける場合、図４に示すように直方体状の室内空気充填部材Ｘの一面に耐火ボード４０を貼り付けるような構成とすることができる。この場合、室内の空間に面する方向に耐火ボード４０面を向けるように設置すれば火事に対する延焼を効果的に抑制でき、また、収納時にも耐火ボード４０に沿わせて折りたたむことで薄い状態にして収納することができる。
【符号の説明】
【００１０】
Ｘ  室内空間充填部材
１０  気密性シート
２０  断熱材
３０  逆止弁
４０  耐火ボード
【図１】
0003169322.tif 000003
【図２】
0003169322.tif 000004
【図３】
0003169322.tif 000005
【図４】
0003169322.tif 000006
【手続補正書】
【提出日】平成23年5月19日(2011.5.19)
【手続補正１】
【補正対象書類名】実用新案登録請求の範囲
【補正対象項目名】請求項１
【補正方法】変更
【補正の内容】
【請求項１】
密閉された風船体を構成する気密性シートからなる気密層と、
前記気密性シート全面に積層される断熱材からなる断熱層と
からなる積層構造を有し、
前記風船体の内部と外気とを連通する弁体を有する
室内空間充填部材。
【手続補正２】
【補正対象書類名】明細書
【補正対象項目名】０００４
【補正方法】変更
【補正の内容】
【０００４】
上記課題を解決するために、本考案は次のような構成を有する。
請求項１に記載の考案は、密閉された風船体を構成する気密性シートからなる気密層と
、  前記気密性シート全面に積層される断熱材からなる断熱層とからなる積層構造を有し
、前記風船体の内部と外気とを連通する弁体を有する室内空間充填部材である。
請求項２に記載の考案は、前記室内空間充填部材の形状を略直方体形状としたものであ
る。
請求項３に記載の考案は、請求項２に記載の室内空間充填部材において、少なくとも１
面の最外面全面に、耐熱材からなる耐熱層が設けられるものである。